(57)【要約】【課題】  リュウズの支持剛性を低下させることなく、リュウズと巻真パイプとの間の潤滑剤切れによる回転抵抗の増大やパッキンの磨耗を低減することのできる軸支構造を提供する。【解決手段】  本発明のリュウズ軸支構造は、時計ケース１１に取付固定された巻真パイプ１８と、巻真パイプ１８に挿通されたリュウズ１９とを具備し、巻真パイプ１８とリュウズ１９のうちの一方の部材にパッキン１９ｙが装着され、巻真パイプ１８とリュウズ１９のうちの他方の部材は、時計ケース１１に取付固定された金属製の支持部１８Ａと、支持部１８Ａに支持され、パッキン１９ｙに摺接する非金属製の摺接部１８Ｂとを有することを特徴とする。【選択図】図１
2006275745.tif 000002
【特許請求の範囲】
【請求項１】
時計ケースに取付固定された巻真パイプと、該巻真パイプに挿通されたリュウズとを具備するリュウズ軸支構造において、
前記巻真パイプと前記リュウズのうちの一方の部材にパッキンが装着され、
前記巻真パイプと前記リュウズのうちの他方の部材は、前記時計ケースに取付固定された金属製の支持部と、該支持部に支持され、前記パッキンに摺接する非金属製の摺接部とを有することを特徴とするリュウズ軸支構造。
【請求項２】
時計ケースに取付固定された巻真パイプと、該巻真パイプに挿通され、パッキンが装着されたリュウズとを具備するリュウズ軸支構造において、
前記巻真パイプは、前記時計ケースに取付固定された金属製の支持部と、該支持部により背後から支持され、前記パッキンに摺接する非金属製の摺接部とを有することを特徴とするリュウズ軸支構造。
【請求項３】
時計ケースに取付固定されパッキンが装着された巻真パイプと、該巻真パイプに挿通されたリュウズとを具備するリュウズ軸支構造において、
前記リュウズは、金属製の支持部と、該支持部により背後から支持され、前記パッキンに摺接する非金属製の摺接部とを有することを特徴とするリュウズ軸支構造。
【請求項４】
前記支持部と前記摺接部は相互に嵌合固定された別部材で構成されることを特徴とする請求項１乃至３のいずれか一項に記載のリュウズ軸支構造。
【請求項５】
前記摺接部は、前記支持部の表面に被着された薄膜で構成されることを特徴とする請求項１乃至３のいずれか一項に記載のリュウズ軸支構造。
【請求項６】
時計ケースに取付固定された巻真パイプと、該巻真パイプに挿通され、パッキンが装着されたリュウズとを具備するリュウズ軸支構造において、
前記巻真パイプは、前記時計ケースに取付固定された金属製の支持部と、該支持部により軸線方向に規制されることにより前記時計ケースに嵌合保持され、前記パッキンに摺接する非金属製の摺接部とを有することを特徴とするリュウズ軸支構造。
【請求項７】
前記摺接部の動摩擦係数が０．１〜０．５の範囲内であることを特徴とする請求項１乃至６のいずれか一項に記載のリュウズ軸支構造。
【請求項８】
前記パッキンの動摩擦係数が０．１〜０．８の範囲内であることを特徴とする請求項１乃至７のいずれか一項に記載のリュウズ軸支構造。
【請求項９】
複数の前記パッキンが隣接配置され、さらに前記パッキンに潤滑剤が塗布されていることを特徴とする請求項１乃至８のいずれか一項に記載のリュウズ軸支構造。
【請求項１０】
前記パッキンの前記摺接部に当接する表面に凹凸形状が設けられ、さらに当該表面に潤滑剤が塗布されていることを特徴とする請求項１乃至８のいずれか一項に記載のリュウズ軸支構造。
【請求項１１】
請求項１乃至１０のいずれか一項に記載のリュウズ軸支構造を備えたことを特徴とする時計。
【発明の詳細な説明】
【技術分野】
【０００１】
本発明はリュウズ軸支構造及び時計に係り、特に、リュウズを時計ケースに軸支する軸支構造の改良に関する。
【背景技術】
【０００２】
一般に、時計には外部操作部材としてリュウズが設けられ、このリュウズを回転させることで、時刻修正、曜日修正、アラーム時刻設定などができるように、或いは、内部に収容されたぜんまいを巻き上げることができるように構成されている。また、多くの場合、リュウズを軸線方向に引き出すことにより操作機能を切り替えることができるように構成される。
【０００３】
防水機能を有する時計に設けられた一般的なリュウズ軸支構造は、動摩擦係数が０．１〜０．３程度の金属製の巻真パイプとリュウズの軸部との間に、動摩擦係数が１．２〜１．６程度のＮＢＲ、ＩＩＲ、フッ素ゴム等からなるゴムパッキンを、締め代を持って介在させることにより防水性を担保するとともに、上記のゴムパッキンにシリコーングリース等の潤滑剤を塗布し、リュウズと巻真パイプとの間の摺動性を確保している。
【０００４】
また、時計ケースに対して回転自在に取り付けられた回転ベゼルを設けるとともに、この回転ベゼルとリュウズとを噛合させることにより、回転ベゼルを回転させることで、リュウズを回転させて種々の操作を行うことができるように構成された腕時計が知られている（例えば、以下の特許文献１参照）。
【特許文献１】実開平３−１３０５８９号公報
【発明の開示】
【発明が解決しようとする課題】
【０００５】
しかしながら、前述の時計では、時計を長期間使用するうちにゴムパッキンに付着していた潤滑剤が親油性のある金属部へ移動し、潤滑剤切れによってゴムパッキンと巻真パイプの接触面の摩擦抵抗が急速に高まり、リュウズの回転操作が重くなったり、ゴムパッキンの磨耗や損傷が生じて防水性が低下したりするという問題点があった。
【０００６】
特に、手動巻上げ式の時計や上記の回転ベゼルを介してリュウズを回転させる方式の時計では、リュウズを高速回転させる機会が多いため、高速回転によってゴムパッキンに付着していた潤滑剤が周囲に飛散し、潤滑剤切れが生じやすいことから、上述の回転抵抗の増大やゴムパッキンの磨耗・損傷が発生しやすいという事情がある。
【０００７】
ちなみに、上記の軸支構造の回転抵抗の低減や耐久性を確保する方法としては、軸支部をルーズに設計して摺動抵抗を軽減する方法も考えられるが、この方法ではリュウズの支持剛性を上げることができないので、ぐらつきやがたつきが発生するとともに防水性を含めた品質感が低下する。
【０００８】
そこで、本発明は上記問題点を解決するものであり、その目的は、リュウズの支持剛性を低下させることなく、リュウズと巻真パイプとの間の潤滑剤切れによる回転抵抗の増大やパッキンの磨耗を低減することのできる軸支構造を提供することにある。
【課題を解決するための手段】
【０００９】
斯かる実情に鑑み、本発明のリュウズ軸支構造は、時計ケースに取付固定された巻真パイプと、該巻真パイプに挿通されたリュウズとを具備するリュウズ軸支構造において、前記巻真パイプと前記リュウズのうちの一方の部材にパッキンが装着され、前記巻真パイプと前記リュウズのうちの他方の部材は、前記時計ケースに取付固定された金属製の支持部と、該支持部に支持され、前記パッキンに摺接する非金属製の摺接部とを有することを特徴とする。
【００１０】
一般に、金属の動摩擦係数は巻真パイプの場合０．１〜０．３程度と比較的小さいが、これ以下の動摩擦係数を得ることは表面粗さの関係から困難である。これに対して、非金属には動摩擦係数の大きな物質も存在するが、金属よりもさらに小さな動摩擦係数の材質を選定することが容易である。また、非金属材料には、パッキンとの間で低い摩擦係数を示す物質もあり、さらにパッキンに対する硬度差も少ないため、パッキンの磨耗や損傷を引き起こしにくいという利点がある。なお、本明細書において或る材料の動摩擦係数というときには、当該材料同士の接触面で測定した動摩擦係数（垂直抗力に対する摩擦力の比）を言う。
【００１１】
本発明では、巻真パイプとリュウズのうちの他方の部材には、パッキンに摺接する非金属製の摺接部を背後から支持する金属製の支持部を設けることにより、支持部によってケースに対する取付を確保できると同時に摺接部の剛性不足を補うこともできるため、摺接部の材料選択や形成方法の自由度を拡大することが可能になる。その結果、支持部を利用することにより、ケースに対する取付状態や剛性確保にとらわれることなく動摩擦係数の小さい材料を摺接部に採用することが可能になるため、摺接部とパッキンとの間の摺動抵抗を充分に低減することが可能になり、これにより、リュウズの支持剛性を低下させることなく、軸支部の回転抵抗の増大及び防水性の低下を抑制できる。
【００１２】
特に、本発明のより具体的な構成としては、時計ケースに取付固定された巻真パイプと、該巻真パイプに挿通され、パッキンが装着されたリュウズとを具備するリュウズ軸支構造において、前記巻真パイプは、前記時計ケースに取付固定された金属製の支持部と、該支持部により背後から支持され、前記パッキンに摺接する非金属製の摺接部とを有することを特徴とする。
【００１３】
また、時計ケースに取付固定されパッキンが装着された巻真パイプと、該巻真パイプに挿通されたリュウズとを具備するリュウズ軸支構造において、前記リュウズは、金属製の支持部と、該支持部により背後から支持され、前記パッキンに摺接する非金属製の摺接部とを有することを特徴とする。
【００１４】
本発明において、前記支持部と前記摺接部は相互に嵌合固定された別部材で構成されることが好ましい。これによれば、摺接部と支持部を別部材で構成できるので、個々に部品として容易に製造することが可能になるとともに、両者を嵌合固定することによって一体構造としているため、特殊な処理を必要とせず、容易に組み立てることができる。この場合、摺接部と支持部との間に密閉性を確保するためのパッキンを介在させることまたは接着シールすることが望ましい。この場合の摺接部は、フッ素樹脂等の低摩擦係数を有する合成樹脂、平滑な表面を備えたセラミックスなどで構成することができる。
【００１５】
本発明において、前記摺接部は、前記支持部の表面に被着された薄膜で構成されることが好ましい。摺接部が支持部の表面に被着された薄膜で構成されることにより、摺接部を支持部の表面に被着する処理が必要になるものの、摺接部と支持部の組立作業が不要になるとともに、摺接部と支持部との間の気密性を確保する構造を設ける必要がなくなる。この場合の摺接部としては、フッ素樹脂その他の低摩擦係数を有する合成樹脂のコーティング膜、ＤＬＣ（ダイヤモンドライクコーティング）薄膜などを用いることができる。
【００１６】
次に、本発明の別の具体的なリュウズ軸支構造は、時計ケースに取付固定された巻真パイプと、該巻真パイプに挿通され、パッキンが装着されたリュウズとを具備するリュウズ軸支構造において、前記時計ケースに取付固定された金属製の支持部と、該支持部により軸線方向に規制されることにより前記時計ケースに嵌合保持され、前記パッキンに摺接する非金属製の摺接部とを有することを特徴とする。
【００１７】
上記の各発明においては、前記摺接部の動摩擦係数が０．１〜０．５の範囲内であることが好ましい。このような低摩擦係数を有する摺接部の構成材料としては、動摩擦係数が０．１程度のＰＴＦＥ（ポリテトラフルオロエチレン）や動摩擦係数が０．２程度のＰＦＡ（テトラフルオロエチレン・パーフルオロアルキルビニルエーテル共重合体）などの四フッ化樹脂、その他の低摩擦係数を呈するフッ素樹脂を用いることができる。また、ポリアセタール、ナイロンなども動摩擦係数を０．１或いはそれ以下とすることができる。さらに、ＤＬＣ膜も用いることができ、０．１或いはそれ以下の動摩擦係数を得ることが可能である。
【００１８】
また、前記パッキンの動摩擦係数が０．１〜０．８の範囲内であることが好ましい。このような低摩擦係数を有するパッキンとしては、フッ素、ＮＢＲを含めたゴム等の弾性材料に固体潤滑剤を配合したもの、ゴム等の弾性材料の表面に低摩擦係数を有する薄膜を形成したもの、たとえば、フッ素樹脂やＤＬＣなどをコーティングしたものなどが挙げられる。
【００１９】
本発明において、複数の前記パッキンが隣接配置され、さらに前記パッキンに潤滑剤が塗布されていることが好ましい。パッキンに潤滑剤を塗布する場合には、上述のように潤滑剤の排出による摩擦係数の急増を避けるために、複数のパッキンを隣接配置させ、パッキン間に潤滑剤が保持されるようにすることが効果的である。これによって、潤滑剤の排出を抑制することができ、軸支部の耐久性を向上させることができる。
【００２０】
本発明において、前記パッキンの前記摺接部に当接する表面に凹凸形状が設けられ、さらに当該表面に潤滑剤が塗布されていることが好ましい。この方法でも、パッキンの表面に設けられた凹凸形状によって潤滑剤が保持されるため、潤滑剤の排出の抑制、並びに、軸支部の耐久性の向上を図ることができる。
【００２１】
次に、本発明の時計は、上記のいずれかに記載のリュウズ軸支構造を備えたことを特徴とする。このような時計としては、特に、リュウズの高速な回転操作が多くなる点で、リュウズの回転によってぜんまい等の巻き上げや蓄電池の充電を行う手動巻上げ式の時計である場合に効果的である。また、リュウズに対して回転ベゼルなどの別の回転操作部材が連結された時計である場合にも効果的である。このような時計としては、通常、腕時計や懐中時計などの携帯時計が挙げられる。
【発明を実施するための最良の形態】
【００２２】
次に、添付図面を参照して本発明に係るリュウズ軸支構造及び時計の実施形態について詳細に説明する。最初に、本発明の各実施形態に共通の全体構造について説明する。
【００２３】
図７は本実施形態の時計１０の全体構成を模式的に示す概略前方斜視図、図８は同全体構成を模式的に示す概略後方斜視図である。本実施形態の時計１０においては、時計ケース１１の前面側に表示窓（ガラス）１２が固定され、時計ケース１１の背面側には裏蓋１３が取付固定されている。表示窓１２の内側には指針などの表示手段１６が配置されている。時計ケース１１の前方部分には、上記表示窓１２の周囲を取り巻くように環状に形成された回転ベゼル１７が回転可能に取り付けられている。また、時計ケース１１の側部にはリュウズ１９が取り付けられている。さらに、時計ケース１１には時計バンド２が取り付けられ、この時計バンド２によって時計１０が腕などに装着される。
【００２４】
回転ベゼル１７の背面上には歯車部１７ｘが形成され、この歯車部１７ｘがリュウズ１９の外周面上に形成された歯車部１９ｘと噛合し、これによって、回転ベゼル１７を回転させると、リュウズ１９が回転駆動されるように構成されている。したがって、回転ベゼル１７を回転操作することで、リュウズ１９の回転に基づいて、ぜんまいの巻上げ、内蔵発電装置の発電、時刻・曜日・アラーム時刻の修正や設定などを行うことができるように構成されている。
【００２５】
なお、以下に説明する各実施形態は、図７及び図８に示す全体構成を有する時計であることを前提として説明するが、各実施形態のリュウズ軸支構造は、このような回転ベゼル１７を用いてリュウズ１９を回転させる構造を有するものに限らず、他の構造を有する任意の時計に同様に適用することができるものである。
【００２６】
［比較例］
ここで、図６を参照して、従来とほぼ同様のリュウズの軸支構造を備えた比較例について説明する。この比較例では、リュウズの軸支構造以外の構造を実施形態と同様にしたものであり、それらの説明は省略する。
【００２７】
この比較例では、時計ケース１１に銀ロウ１８ｘによって固定された巻真パイプ１８′と、この巻真パイプ１８′に挿通された軸部１９Ａ′及びこの軸部１９Ａ′の外端に一体的に設けられた頭部１９Ｂ′を備えたリュウズ１９′とを有する。軸部１９Ａ′の外周面には環状溝１９ｃ′が形成され、この環状溝１９ｃ′にパッキン１９ｙが収容されている。
【００２８】
比較例において、巻真パイプ１８′は金属製で、パッキン１９ｙ′はＮＢＲやＩＩＲなどの合成ゴムで構成される。パッキン１９ｙ′にはシリコーングリースなどの潤滑剤が塗布されている。
【００２９】
上記のような構成では、リュウズ１９′を高速回転させると、パッキン１９ｙ′から潤滑剤が飛散し、潤滑剤切れによって巻真パイプ１８′とパッキン１９ｙ′との摺動抵抗が増大し、リュウズ１９′が操作しにくくなる。また、潤滑剤切れによってパッキン１９ｙ′が磨耗・損傷すると、リュウズ軸支構造の防水性が低下する。
【００３０】
［第１実施形態］
図１は、本発明に係る第１実施形態の主要部を示す拡大部分縦断面図、図２は第１実施形態のリュウズの構造を示す断面図（ａ）及び外側面図（ｂ）である。本実施形態では、上述の時計ケース１１の内部にムーブメント等からなる内部装置１４が収容され、この内部装置１４に基づいて上記表示手段１６が時刻等を表示するようになっている。また、時計ケース１１の側壁には開口部が設けられ、この開口部に巻真パイプ１８が取付固定されている。そして、この巻真パイプ１８は、上記リュウズ１９を軸支している。また、上記回転ベゼル１７は、固定ねじ１７ｙによって時計ケース１１に対して回転可能な状態で係合保持されている。
【００３１】
本実施形態の巻真パイプ１８は、時計ケース１１に取付固定された筒状の支持部１８Ａと、この支持部１８Ａとは別部材で構成され、支持部１８Ａの内側に嵌合固定された筒状の摺接部１８Ｂとで構成されている。支持部１８Ａと摺接部１８Ｂとは、間にパッキン１８Ｃが介在した状態で相互に嵌合固定されている。パッキン１８Ｃは支持部１８Ａと摺接部１８Ｂとの間の密閉性（防水性）を確保するためのものである。特に、図示例のように、支持部１８Ａと摺接部１８Ｂとを弾性変形させることによってスナップ的に嵌合固定される構造とすることが好ましい。
【００３２】
支持部１８Ａはステンレス鋼、Ｔｉ、Ｔｉ合金等の金属で構成され、その基部が時計ケース１１の上記開口部に挿通され、時計ケース１１の開口縁に設けられたポケット部に充填された銀ロウ１８ｘを用いたロウ付け等の方法によって時計ケース１１に対して固定されている。
【００３３】
また、摺接部１８Ｂは、合成樹脂、セラミックス、その他の無機化合物等の非金属材料で構成される。例えば、ＰＴＦＥ（ポリテトラフルオロエチレン）、ＰＦＡ（テトラフルオロエチレン・パーフルオロアルキルビニルエーテル共重合体）等の四フッ化樹脂、その他の低摩擦係数を呈するフッ素樹脂、或いは、ポリアセタール、ナイロン等の低摩擦係数を有する合成樹脂で一体に構成されている。これらの合成樹脂はいずれも０．１以下から０．２程度の動摩擦係数を有する材料であり、軸支材料としては好適なものであるが、時計ケース１１との取付固定に適しているとは必ずしも言えないため、また、必ずしも充分な剛性を備えたものでない場合もあるため、金属製の支持部１８Ａに対して支持固定されている。
【００３４】
なお、摺接部１８Ｂとしては、上記の合成樹脂に限らず、０．１〜０．３の範囲内の動摩擦係数を備えたものであれば、シリコンカーバイド等のセラミックス材料、各種ガラス等のアモルファス材料で構成されていてもよい。
【００３５】
一方、リュウズ１９は、図２に示すように、上記摺接部１８Ｂの内部に挿通される軸部１９Ａと、この軸部１９Ａの外端部から外周に広がり、軸部１９Ａの基部を包み込むように傘状に構成された頭部１９Ｂとを備えている。頭部１９Ｂの外周には上記歯車部１９ｘが形成されている。軸部１９Ａの外周面には環状溝１９ｃが形成され、この環状溝１９ｃ内にパッキン１９ｙが収容されている。パッキン１９ｙは、図示例のように双山状の断面形状を有し、摺接部１８Ｂに当接する表面に凹凸形状を有した構造を備えている。
【００３６】
パッキン１９ｙは、ＮＢＲ（二トリルゴム），ＩＩＲ（ブチルゴム）などのパッキン素材に対して硫化モリブデン、フッ素樹脂、グラファイト、カーボン粒子等の固体潤滑剤を配合したもの、パッキン素材の表面に、フッ素コーティング、ナノカーボンコーティング、ＤＬＣ膜等の低摩擦コーティングを施したもの、フッ素ゴムなどの本来的に低摩擦係数を備えたものなどで構成されることが好ましい。これらの動摩擦係数は０．１〜０．８の範囲内であることが望ましい。
【００３７】
また、パッキン１９ｙは、シリコーングリースなどの潤滑剤や上記の固体潤滑剤などを塗布することが望ましい。この場合、パッキン１９ｙの上記表面は凹凸形状を備えているので、これらの潤滑剤を凹凸形状中に保持することができるため、潤滑剤の飛散等のようなパッキン１９ｙからの排出作用を抑制することができる。これによって、摺接部１８Ｂとパッキン１９ｙとの間の摺動抵抗の増大を防止し、パッキン１９ｙの耐久性の向上を図ることができる。
【００３８】
頭部１９Ｂの内面上には低摩擦係数を有する合成樹脂製のガタ防止リング１９ｅが嵌合し、固定リング１９ｆの加締め等によって固定されている。このガタ防止リング１９ｅは巻真パイプ１８の外周面（すなわち、支持部１９Ａの外周面）に当接するか、或いは、極めて僅かなすき間を介して対向し、リュウズ１９のガイド機能を果たすようになっている。
【００３９】
本実施形態では、リュウズ１９が高速回転されても、巻真パイプ１８の摺接部１８Ｂと、これに摺接するパッキン１９ｙが共に低い動摩擦係数を備えているため、摺動時における摩擦抵抗が少なく、したがって、パッキン１９ｙの磨耗・損傷が発生しにくいため、防水性が低下しにくい。
【００４０】
また、パッキン１９ｙの摺接部１８Ｂの表面は凹凸形状を有するので、塗布された潤滑剤が飛散しにくく、潤滑剤の排出による摩擦抵抗の急増やパッキン１９ｙの破壊などが生じにくく、耐久性も向上する。
【００４１】
さらに、本実施形態では、摺接部１８Ｂを支持部１８Ａが背後から支持しているので、時計ケース１１に対する取付も容易であり、また、摺接部１８Ｂの剛性を確保することができるため、摺動面の変形を抑制することができる。しかも、摺接部１８Ｂの構成材料として、剛性に劣る材料も選定対象とすることができるため、材料の選定範囲が広がり、動摩擦係数のより小さい材料を用いて摺接部１８Ｂを構成することが可能になる。
【００４２】
［第２実施形態］
次に、図３を参照して本発明に係る第２実施形態について説明する。なお、この実施形態において第１実施形態と同様の部分には同一符号を付し、それらの説明を省略する。
【００４３】
本実施形態では、巻真パイプ２８を金属製の一体構成のものとし、この巻真パイプ２８の内周面上に環状溝２８ｃを形成し、この環状溝２８ｃ内にパッキン２８ｙを収容している。ここで、パッキン２８ｙは環状溝２８ｃ内において軸線方向に二つ隣接して配置された状態で装着されている。なお、このパッキン２８ｙは、上記第１実施形態のパッキン１９ｙと同じ材質を用いることができ、また、同じ固体潤滑剤の配合や同じコーティング処理を施すことができ、或いは、同じ潤滑剤を塗布することができる。さらに、第１実施形態と同様に、パッキン２８ｙの動摩擦係数は０．１〜０．８の範囲内であることが望ましい。
【００４４】
一方、リュウズ２９は、上記第１実施形態と同様の軸部２９Ａ及び頭部２９Ｂを有するが、金属製の軸部２９Ａの外周部に低い摩擦係数を有する非金属製の摺接部２９Ｃが嵌合固定されている点で第１実施形態とは異なる。この摺接部２９Ｃは上記パッキン２８ｙに摺接する。摺接部２９Ｃは、上記第１実施形態の巻真パイプ１８の摺接部１８Ｂと同じ素材で構成することができる。この場合、摺接部２９Ｃは軸部２９Ａに対して第１実施形態の摺接部１８Ｂのように軸部２９Ａに対してスナップ的に嵌合固定されていてもよく、或いはまた、軸部２９Ａに対して接着固定されていてもよい。
【００４５】
また、上記摺接部２９Ｃを、金属製の軸部２９Ａの外周面に被着された低摩擦係数の薄膜で構成することも可能である。この薄膜としては、低摩擦係数を有するフッ素樹脂やセラミックスのコーティング膜、ＤＬＣ膜などを用いることができる。
【００４６】
いずれの場合においても、摺接部２９Ｃは、上記第１実施形態と同様に、０．１〜０．５の範囲内の動摩擦係数を有するものであることが好ましい。
【００４７】
本実施形態では、基本的にパッキン２８ｙと摺接部２９Ｃの摺動面同士が第１実施形態と同様に構成されているので、上記と同様の作用効果を奏することができる。ところで、本実施形態では、２つのパッキン２８ｙが隣接配置されている点で上記第１実施形態とは異なるが、このように２つのパッキン２８ｙが隣接配置されることで、結果的に２つのパッキン２８ｙの間に潤滑剤が保持される効果を得ることができるので、第１実施形態のパッキン１９ｙと同様に潤滑材の排出が防止され、耐久性が向上するという効果が得られる。
【００４８】
［第３実施形態］
次に、図４を参照して本発明に係る第３実施形態について説明する。なお、この実施形態において第１実施形態と同様の部分には同一符号を付し、それらの説明を省略する。例えば、本実施形態のリュウズ１９は第１実施形態と同一であり、パッキン１９ｙもまた第１実施形態と同じであるので、これらの説明は省略する。
【００４９】
本実施形態では、巻真パイプ３８が金属製の支持部３８Ａと、この支持部３８Ａの内側に嵌合固定された非金属製の摺接部３８Ｂとからなる点、並びに、この摺接部３８Ｂに用いることのできる材質については第１実施形態と同様である。ただし、本実施形態の摺接部３８Ｂは、第１実施形態の摺接部１８Ｂのようにリュウズ１９の軸部１９Ａに対向する部分全体に亘って対向配置されたものではなく、パッキン１９ｙと摺接する部分のみに形成されている点で第１実施形態とは異なる。
【００５０】
また、本実施形態では、摺接部３８Ｂを支持部３８Ａの表面に被着された薄膜で形成することもできる。この薄膜は、上記第２実施形態の摺接部２９Ｃを薄膜で形成する場合において説明したものと同様のものを用いることができる。
【００５１】
［第４実施形態］
次に、図５を参照して本発明に係る第４実施形態について説明する。なお、この実施形態において第１実施形態と同様の部分には同一符号を付し、それらの説明を省略する。
【００５２】
本実施形態の巻真パイプ４８は、時計ケース１１に固定された支持部４８Ａと、時計ケース１１の開口部に嵌合した非金属製の摺接部４８Ｂとを有している。支持部４８Ａは摺接部４８Ｂに対して軸線方向に係合し、摺接部４８Ｂを規制して時計ケース１１に嵌合保持させている。摺接部４８Ｂは、パッキン４８ｘを介して時計ケース１１に気密に嵌合されている。支持部４８Ａは、内周側において摺接部４８Ｂの外面上にフランジ状に張り出した突出部４８ｙに軸線方向外側から当接するとともに、外周側において時計ケース１１に形成された雌ネジに螺合する雄ネジを備えている。支持部４８Ａを時計ケース１１に対してねじ込んでいくと、支持部４８Ａは突出部４８ｙを軸線方向内側へ加圧し、摺接部４８Ｂが時計ケース１１に対して締め付け固定される。
【００５３】
リュウズ４９は、軸部４９Ａ及び頭部４９Ｂを備え、軸部４９Ａの外周面上には環状溝４９ｃが形成され、この環状溝４９ｃ内にパッキン４９ｙが収容されている。環状溝４９ｃ内には軸線方向に隣接する２つのパッキン４９ｙが収容されている。パッキン４９ｙは上記摺接部４８Ｂの内周面に摺接している。
【００５４】
なお、歯車部４９ｘやガタ防止リング４９ｅは第１実施形態と同様に構成され、ガタ防止リング４９ｅは支持部４８Ａの外周面に当接するか、或いは、極めて僅かなすき間を介して対向している。
【００５５】
本実施形態の摺接部４８Ｂは、第１実施形態の摺接部１８Ｂと同様に構成することができる。また、パッキン４９ｙは、第１実施形態のパッキン１９ｙと同様に構成することができる。
【００５６】
本実施形態では、巻真パイプ４８において摺接部４８Ｂが支持部４８Ａにより背後から支持されている点では上記各実施形態と同様であるので、上記各実施形態と同様の作用効果を奏することができる。ただし、本実施形態の巻真パイプ４８は、時計ケース１１に対して摺接部４８Ｂが支持部４８Ａによって保持固定されている点で上記各実施形態とは異なる。このように構成すると、巻真パイプ４８の組み立てと同時に巻真パイプの時計ケースへの取り付けできるので、製造しやすく、メンテナンスも容易になる。
【００５７】
尚、本発明のリュウズ軸支構造及び時計は、上述の図示例にのみ限定されるものではなく、本発明の要旨を逸脱しない範囲内において種々変更を加え得ることは勿論である。
【図面の簡単な説明】
【００５８】
【図１】第１実施形態の一部を拡大して示す拡大部分縦断面図。
【図２】第１実施形態のリュウズの縦断面図（ａ）及び外側面図（ｂ）。
【図３】第２実施形態の一部を拡大して示す拡大部分縦断面図。
【図４】第３実施形態の一部を拡大して示す拡大部分縦断面図。
【図５】第４実施形態の一部を拡大して示す拡大部分縦断面図。
【図６】比較例の時計の一部を拡大して示す拡大部分縦断面図。
【図７】各実施形態の全体構成を模式的に示す概略前方斜視図。
【図８】各実施形態の全体構成を模式的に示す概略後方斜視図。
【符号の説明】
【００５９】
１０…時計、１１…時計ケース、１２…表示窓、１３…裏蓋、１４…内部装置、１５…表示板、１６…表示手段、１７…回転ベゼル、１８…巻真パイプ、１８Ａ…支持部、１８Ｂ…摺接部、１９…リュウズ、１９Ａ…軸部、１９Ｂ…頭部、１９ｃ…環状溝、１９ｙ…パッキン
【図１】
2006275745.tif 000003
【図２】
2006275745.tif 000004
【図３】
2006275745.tif 000005
【図４】
2006275745.tif 000006
【図５】
2006275745.tif 000007
【図６】
2006275745.tif 000008
【図７】
2006275745.tif 000009
【図８】
2006275745.tif 000010